(57)【要約】【課題】スパウト本体の口部の確実な閉鎖と開放操作の容易さと衛生的であることを兼備し、且つ量産に適した構造のスパウトキャップを提供すること。【解決手段】本発明のスパウトキャップは、スパウト本体の口部を筒状に包囲すると共に樹脂製の射出成型品であるキャップ本体と、キャップ本体に対しその貫通方向の一方側に接合されると共にスパウト本体の口部を密封するためにその口部の先端面に対し熱接合可能なシールフィルムとを備える。キャップ本体は、筒状の胴部と、胴部に対し口径方向外側に配置された摘まみ部とを備える。摘まみ部は、胴部のうち貫通方向の他方側から口径方向外側に張り出す摘まみ付け根部と、摘まみ付け根部から貫通方向の前記一方側に延びると共に胴部に対し口径方向外側に対向する摘まみ本体部とを備える。摘まみ本体部は環状であり、摘まみ付け根部に対し胴部の口径方向外側に変形可能なものである。【選択図】      図１
2020121772.tif 000002
【特許請求の範囲】
【請求項１】
樹脂製の射出成型品であり、スパウト本体の口部を筒状に包囲するキャップ本体と、ラミネートフィルムであり、前記キャップ本体に対し筒状の貫通方向の一方側に接合されると共に前記スパウト本体の口部を密封するためにその口部の先端面に対し熱接合可能なシールフィルムとを備えるスパウトキャップであって、
前記キャップ本体は、筒状の胴部と、前記胴部よりも口径方向外側に配置された摘まみ部とを備え、
前記摘まみ部は、前記胴部のうち貫通方向の他方側から口径方向外側に張り出す摘まみ付け根部と、前記摘まみ付け根部から前記貫通方向の一方側に向かって延びると共に前記胴部に対し口径方向外側に対向する摘まみ本体部とを備え、
前記摘まみ本体部は環状であり、前記摘まみ付け根部に対し前記胴部の口径方向外側に変形可能なものであることを特徴とするスパウトキャップ。
【請求項２】
前記摘まみ本体部は、前記摘まみ付け根部から前記胴部の周方向に分岐しながら前記貫通方向の一方側へ延びる二股部と、前記二股部の当該一方側の両端部を接合すると共に指を掛ける指掛け部とを備え、
前記指掛け部は前記摘まみ付け根部に対し前記胴部の口径方向外側に配置されていることを特徴とする請求項１に記載のスパウトキャップ。
【請求項３】
前記指掛け部は前記摘まみ付け根部に対し前記胴部の口径方向外側に離れて配置されていることを特徴とする請求項２に記載のスパウトキャップ。
【請求項４】
前記胴部はその貫通方向から見て口径方向外側に膨らむ円弧状の円弧部を備え、
前記指掛け部も、前記胴部の貫通方向から見て口径方向外側に膨らむ円弧状であり、且つ前記円弧部に対して口径方向外側に離れて配置されていることを特徴とする請求項２又は３に記載のスパウトキャップ。
【請求項５】
前記胴部は、前記摘まみ付け根部に対し周方向の両側を破断可能に接合すると共に前記胴部の貫通方向における他方側の端から一方側に向かって延びる一対の破断部、一対の前記破断部の前記一方側の端部から周方向に向かって延びる一対の第１のスリット部、及び一対の前記第１のスリット部を境界とする貫通方向の前記一方側の部分と前記他方側の部分とを一対の前記第１のスリット部の間で接合する一対の中間接合部を備え、
一対のうち摘まみ部とは反対側の前記中間接合部はヒンジ部であることを特徴とする請求項１〜４の何れかに記載のスパウトキャップ。
【請求項６】
請求項１〜５のいずれかに記載のスパウトキャップと、容器本体の口部に取り付ける前記スパウト本体とを備えるスパウト。
【請求項７】
請求項６に記載のスパウトと、前記容器本体とを備えるスパウト付き容器。
【発明の詳細な説明】
【技術分野】
【０００１】
スパウト付き容器は容器本体とスパウトを備える。またスパウトはスパウト本体とスパウトキャップを備える。本発明は、そのようなスパウトキャップ、スパウト、及び、スパウト付き容器に関する。
【背景技術】
【０００２】
従来、液体飲料・流動性食品・調味料などの食料品や、液体洗剤・液体洗浄料などの日用品を収容する容器として、スパウト付き容器が知られている。一般的にスパウト付き容器は、内容物を収容する容器本体と、容器本体に固定されたスパウトとを備えている。なおスパウトは前述したようにスパウト本体とスパウトキャップとを備えている。そしてスパウト本体はその口部から内容物を通過させ、スパウトキャップはスパウト本体の口部を塞ぐようになっている。このスパウト本体の口部の先端面にはシールフィルムが設けられている場合があり、シールフィルムによって内容物が外部に漏れ出ないようにしてある。
【０００３】
特許文献１には、スパウト本体の口部をシールフィルムとしてのインナーシールで塞ぐと共に、当該口部にスクリューキャップを嵌めたスパウト付きパウチ容器が記載されている。このインナーシールは、口部に対して口径方向外側に張り出す張出部分が摘まみ部として設けられているため、張出部分のないものと比較して剥がしやすい構造となっている。
【０００４】
また特許文献２には、スパウト本体の口部の上をシールフィルムとしてのシール部で塞ぎ、シール部の上にカバープレートを設けたパウチ用スパウトのシール構造が記載されている。このシール部はスパウト本体の外周よりも十分に大きくて摘まみやすくなっており、シール部を剥がすという一回の操作でスパウト本体の口部を開放することができるようになっている。
【先行技術文献】
【特許文献】
【０００５】
【特許文献１】特開２００１−９７４３７号公報
【特許文献２】特開２００１−１３０６０９号公報
【発明の概要】
【発明が解決しようとする課題】
【０００６】
しかしながら特許文献１に記載の構造では、インナーシールには摘まみ部として張出部分が設けられているものの、張出部分はそれほど大きくないので、摘まみにくい。したがってスパウト本体の口部の開放操作がしにくい。ちなみにインナーシールはフィルム状であって、非常に薄い。そのため、インナーシールは人の手で摘まみにくく、剥がし難いものである。
またスパウト本体の口部を開放するには、スクリューキャップを外す操作と、インナーシールを剥がす操作との二回の操作が必要である。
さらにはスクリューキャップを外すには、スクリューキャップに対し容器側の部分を一方の手で押さえながら、スクリューキャップを他方の手の指で摘まんで回転させることになる。スクリューキャップの回転操作は一般的に子供や高齢者にとっては簡単な操作ではなく、改善が求められている。
【０００７】
また特許文献２に記載の構造では、前述したように一回の操作でスパウト本体の口部を開放できるが、シール部の厚みが薄く、剛性が低いため、シール部を指で摘まみにくい。したがってスパウト本体の口部の開放操作がしにくい。
しかもスパウト本体の口部は使用者が口にくわえる部分であり、その口部の周りが包囲されていないため、衛生的ではない。
【０００８】
本発明は上記実情を考慮して創作されたものであり、スパウト本体の口部の確実な閉鎖と開放操作の容易さと衛生的であることを兼備したスパウトキャップを提供することを前提とする。そのうえで本発明は量産に適した構造のスパウトキャップを提供することを目的とする。さらに本発明はそのような目的を達成したスパウトキャップを用いたスパウト、及びスパウト付き容器を提供することを目的とする。
【課題を解決するための手段】
【０００９】
本発明のスパウトキャップは、樹脂製の射出成型品であり、スパウト本体の口部を筒状に包囲するキャップ本体と、キャップ本体に対し筒状の貫通方向の一方側に接合されると共にスパウト本体の口部を密封するためにその口部の先端面に対し熱接合可能なシールフィルムとを備える。そしてキャップ本体は、筒状の胴部と、胴部よりも口径方向外側に配置された摘まみ部とを備える。また摘まみ部は、胴部のうち貫通方向の他方側から口径方向外側に張り出す摘まみ付け根部と、摘まみ付け根部から貫通方向の前記一方側に向かって延びると共に胴部に対し口径方向外側に対向する摘まみ本体部とを備える。そして摘まみ本体部は環状であり、摘まみ付け根部に対し胴部の口径方向外側に変形可能なものである。
【００１０】
また摘まみ本体部は、摘まみ付け根部から貫通方向の一方側に向かって延びると共に環状なので、具体的には摘まみ付け根部から胴部の周方向に分岐しながら貫通方向の一方側へ延びる二股部と、二股部の当該一方側の両端部を接合すると共に指を掛ける指掛け部とを備えるものである。そして指掛け部と摘まみ付け根部とは胴部の貫通方向から見て重なり合う配置であるか否かは問わない。しかし指掛け部と摘まみ付け根部とは胴部の貫通方向から見て重なり合う配置である場合、金型の型開き方向を胴部の貫通方向に合わせてあれば、指掛け部がいわゆるアンダーカットになる。そしてアンダーカットになり難い構造のスパウトキャップの方が、アンダーカットのある構造のスパウトキャップよりも射出成形での量産には適している。そこでスパウトキャップを量産により適した構造にするには次のようにすることが望ましい。
すなわち、指掛け部は摘まみ付け根部に対し胴部の口径方向外側に配置されていることである。
【００１１】
また胴部の貫通方向から見て指掛け部は摘まみ付け根部に対し胴部の口径方向外側に隣接するか、離れているかを問わないが、摘まみ本体部に指を通しやすくするには次のようにすることが望ましい。
すなわち、指掛け部は摘まみ付け根部に対し胴部の口径方向外側に離れて配置されていることである。
【００１２】
また複数のスパウトキャプが例えばバーツフィーダや容器に投入されると、スパウトキャプ同士が絡み合うことがある。ちなみに絡み合い易い構造のスパウトキャップの一例としては、胴部はその貫通方向から見て口径方向外側に膨らむ円弧状の円弧部を備えるものとし、指掛け部は胴部の貫通方向から見て、円弧部に対して口径方向外側に離れて配置されると共に、円弧部に対して接線方向に平行に延びる直線状である構造が挙げられる。そしてスパウトキャップ同士の絡み合いをできる限り防止するには次のようにすることが望ましい。
すなわち、胴部はその貫通方向から見て口径方向外側に膨らむ円弧状の円弧部を備え、指掛け部も、胴部の貫通方向から見て口径方向外側に膨らむ円弧状であり、且つ円弧部に対して口径方向外側に離れて配置されるようにすることである。
【００１３】
また胴部はスパウト本体の口部を筒状に包囲するものであれば良く、貫通方向の全長と周方向の全長に亘って連続する完全な筒であるか否かを問わない。なおスパウトキャップをスパウト本体から外す開放操作をするには、摘まみ本体部に指を通し、または、指掛け部を持ち、スパウト本体のうち口部とは反対側を摘まんで、スパウト本体から摘まみ部を引き離すように引っ張れば良い。そしてこの開放操作を容易にするには次のようにすることが望ましい。
すなわち胴部は、摘まみ付け根部に対し周方向の両側を破断可能に接合すると共に胴部の貫通方向における他方側の端から一方側に向かって延びる一対の破断部、一対の破断部の前記一方側の端部から周方向に向かって延びる一対の第１のスリット部、及び一対の第１のスリット部を境界とする貫通方向の前記一方側の部分と前記他方側の部分とを一対の第１のスリット部の間で接合する一対の中間接合部を備えるものとする。そして一対のうち摘まみ部とは反対側の中間接合部はヒンジ部であることにする。
【００１４】
また本発明のスパウトは、上記したスパウトキャップと、容器本体の口部に取り付けるスパウト本体とを備えるものである。
【００１５】
また本発明のスパウト付き容器は、上記したスパウトと、容器本体とを備えるものである。
【発明の効果】
【００１６】
本発明のスパウトキャップは、摘まみ本体部を胴部に対し口径方向外側に対向するように形成してあるので、キャップ本体を製造する為の金型のうち雌型の方だけにキャビティ（空間部）に対応する凹部が形成されるようにでき、射出成形での量産に適した構造と言える。
しかも本発明のスパウトキャップは、キャップ本体がスパウト本体の口部を筒状に包囲するので、当該口部を衛生的にでき、またシールフィルムをスパウト本体の口部の先端面に熱接合することによって当該口部を確実に閉鎖でき、そのうえ胴部の貫通方向に延びる摘まみ本体部が口径方向外側に変形可能なものなので、変形させることによって摘まみ本体部に指を通しやすくなり、キャップ本体をスパウト本体の口部から外す開放操作が容易になる。
【００１７】
また本発明のスパウトキャップは、摘まみ本体部を二股部と指掛け部とを備えるものにし、胴部の貫通方向から見て、指掛け部を摘まみ付け根部に対し胴部の口径方向外側に配置したものであれば、例えば胴部の貫通方向から見て、指掛け部を摘まみ付け根部に対し重なり合うようにしたスパウトキャップと比べれば、指掛け部がアンダーカットになり難くなり、射出成形での量産により適したものになる。
【００１８】
また本発明のスパウトキャップは、胴部の貫通方向から見て指掛け部を摘まみ付け根部に対し胴部の口径方向外側に離れるようにしたものであれば、例えば胴部の貫通方向から見て摘まみ本体部を摘まみ付け根部に対し胴部の口径方向に隣接するものと比べれば、摘まみ本体部に指を通しやすくなり、スパウトキャップをスパウト本体の口部から外す開放操作が容易になる。
【００１９】
また本発明のスパウトキャップは、胴部を円弧部を備えるものにし、指掛け部も円弧状にしたものであれば、例えばスパウトキャップをスパウト本体に取りけるために複数のスパウトキャップをパーツフィーダに投入したときに、スパウトキャップ同士が絡みにくくなり、生産性が向上する。
【００２０】
また本発明のスパウトキャップは、胴部が一対の破断部と一対のスリット部と一対の中間接合部とを備え、一対のうち摘まみ部とは反対側の中間接合部がヒンジ部であるものであれば、スパウトキャップ本体の口部から外す開放操作が容易になる。より詳しく言えば、このようなスパウトキャップは、スパウトキャップをスパウト本体の口部から外す開放操作において、一対のスリット部に対して胴部の他方側の部分が一対の破断部によって摘まみ部とは反対側と摘まみ部側とに二つに分割し、その分割のときにヒンジ部を支点にして摘まみ部とは反対側が摘まみ部側に対して相対的に開くように変位し、例えば破断部や一対のスリット部やヒンジ部のないものに比べれば、当該開放操作が容易になる。
【００２１】
また本発明のスパウト、スパウト付き容器は、上記したスパウトキャップを備えるものなので、上記したスパウトキャップが有する効果を備える。
【図面の簡単な説明】
【００２２】
【図１】本発明の第一実施形態のスパウトを示す分解斜視図である。
【図２】第一実施形態のスパウトを示す断面図である。
【図３】第一実施形態のスパウトを示す断面図である。
【図４】第一実施形態のスパウトに用いるスパウトキャップのキャップ本体を示す正面図である。
【図５】図４のキャップ本体の平面図である。
【図６】図４のキャップ本体の左側面図である。
【図７】図４のキャップ本体の右側面図である。
【図８】図４のキャップ本体の底面図である。
【図９】二つのキャップ本体が絡み合わないことを示す平面図である。
【図１０】二つのキャップ本体が絡み合わないことを示す斜視図である。
【図１１】（Ａ）（Ｂ）（Ｃ）第一実施形態のスパウトにおいてスパウトキャップをスパウト本体から外すときの状態変化を示す説明図である。
【図１２】第一実施形態におけるスパウトキャップに用いるキャップ本体の変形例を示す平面図である。
【図１３】第一実施形態におけるスパウトキャップに用いるキャップ本体の変形例が絡み合うことを示す斜視図である。
【図１４】第二実施形態におけるスパウトキャップに用いるキャップ本体を示す正面図である。
【図１５】図１４のキャップ本体の平面図である。
【図１６】図１４のキャップ本体のＸＶＩ-ＸＶＩ線断面図である。
【発明を実施するための形態】
【００２３】
本発明のスパウト付き容器は、内容物を収容する容器本体と、容器本体の口部に固定されると共に内容物が通過するスパウトとを備える。ちなみに容器本体は一例として袋状である。
【００２４】
図１〜３に示すように本発明の第一実施形態のスパウト１は、容器本体（図示せず）の口部に取り付けると共に内容物を通過させて外部に出すためのスパウト本体２と、スパウト本体２の口部２１ａを塞ぐスパウトキャップ３（以下、第一実施形態のスパウトキャップ３と称する。）とを備える。
【００２５】
スパウト本体２は貫通しているので、内容物が通過する。したがってスパウト本体２には貫通方向が存在する。ちなみに貫通方向は図１〜３では上下方向に一致する。また図１では貫通方向は符号Ｚが付記された直線で示されている。また貫通方向の一方側とは、容器本体とは反対側、つまり反容器本体側のことであり、図１〜３での上側のことである。また貫通方向の他方側とは容器本体側のことであり、図１〜３での下側のことである。
またスパウト本体２は樹脂製の射出成形品であり、後述のキャップ本体４に関して例示した樹脂のいずれかが用いられる。そしてスパウト本体２は内容物の通路となるストロー２１を備える。ストロー２１は筒状であり、図示の例では円筒状となっている。またストロー２１は筒状なので、口径方向が存在する。そしてストロー２１はその貫通方向の全長のうち中間部に対して反容器本体側を口部２１ａとし、当該中間部に対して容器本体側を容器取付部２１ｂとする。ストロー２１の口部２１ａはスパウト本体２の口部２１ａでもある。
以後、貫通方向・口径方向という用語は、スパウト本体２だけでなくスパウトキャップ３についても用いることにする。
【００２６】
またスパウト本体２は、ストロー２１の他に、ストロー２１の口部２１ａの外周面に形成されると共にスパウトキャップ３に嵌合するストロー側嵌合部２２と、ストロー２１の反容器本体側と容器本体側の間（貫通方向の中間部）における外周面から口径方向外側に張り出すと共にスパウトキャップ３を外すときに把持可能であり、かつ内容物充填時に充填機がスパウト付き容器を保持するためにも用いられる把持部２３とを備える。ストロー側嵌合部２２の詳細はスパウトキャップ３の詳細と合わせて説明する。
【００２７】
把持部２３は貫通方向に離れて配置された複数のフランジ２３ａを備える。またフランジ２３ａは貫通方向から見て、ストロー側嵌合部２２よりも口径方向外側に張り出す部分を備えている。そして図１に示すようにフランジ２３ａは、貫通方向Ｚから見て口径方向に直交する二方向Ｘ，Ｙのうち一方向Ｙよりも他方向Ｘに長く形成してある。また二方向Ｘ，Ｙに延びる部分はストロー側嵌合部２２よりも口径方向外側に張り出している。
【００２８】
スパウトキャップ３は図１〜３に示すように、スパウト本体２の口部２１ａを筒状に包囲するキャップ本体４と、キャップ本体４に対しその貫通方向の反容器本体側に接合されたシールフィルムＦとを備える。
【００２９】
シールフィルムＦは、キャップ本体４に接合されたものである。シールフィルムＦとキャップ本体４との接合は例えば熱接合（溶着）、望ましくはインサート成形によって行う。より詳しく言えば、キャップ本体４は樹脂製の射出成型品であり、射出成型のときにインサート品としてシールフィルムＦをあらかじめ金型内に配置した後に樹脂を流し込むことによって、シールフィルムＦとキャップ本体４とは接合される。
またシールフィルムＦは、スパウト本体２の口部２１ａを密封するためにその口部２１ａの先端面（上端面）に対し熱接合可能なもので、ラミネートフィルムである。シールフィルムＦは、キャップ本体４とスパウト本体２に熱接合可能な熱接合層と、熱接合層とは異なる材質であって熱接合層の上に積層されて一体化された基材層とを備えるものである。
基材層としては、突き刺し強度、引っ張り強度、耐衝撃性などを備えたフィルムとすることができる。基材層の材質としては、例えば、ポリエチレンテレフタレート、ポリプロピレン、ポリアミド、エチレンビニルアルコール共重合体などが挙げられ、これらの二軸延伸フィルム又は一軸延伸フィルムを用いることができる。また、これらのフィルムに、酸素、水蒸気や紫外線などの光線に対するバリア性を付与するために、アルミニウム、マグネシウムなどの金属、又は酸化珪素などの酸化物を蒸着させた蒸着フィルム、ポリ塩化ビニリデンなどのバリア性コート剤などをコートしたコートフィルムなどを用いてもよい。基材層は、前記したフィルムの単体であってもよく、積層体であってもよい。また、熱接合層の上に直接アルミニウム、マグネシウムなどの金属、又は酸化珪素などの酸化物を蒸着させた蒸着層、ポリ塩化ビニリデンなどのバリア性コート剤などをコートしたコート層を基材層としてもよい。
熱接合層は樹脂製のフィルムである。熱接合層は、基材層の形状を維持できる温度範囲内で加熱溶融可能で、熱接合可能な層である。熱接合層の樹脂の材質としては、例えば、高密度ポリエチレン、低密度ポリエチレン、直鎖状低密度ポリエチレンなどのポリエチレン、ポリプロピレンなどが挙げられ、これらの未延伸フィルムや、前記した樹脂を層状に押し出したものとすることができる。これらの樹脂のうち、キャップ本体４と熱接合可能な同種の樹脂を用いる。また、スパウトキャップが高温加熱滅菌するレトルト処理に曝される場合には、耐熱性に優れたポリプロピレンや高密度ポリエチレンを用いるとよい。
シールフィルムＦは、必要に応じて、基材層と熱接合層の間に、中間層を有していてもよい。中間層としては、例えば、酸素バリア性、水蒸気バリア性、引裂き性などの機能性を備えたフィルムが挙げられる。中間層の具体例としては、例えば、アルミニウムなどの金属層や上述の蒸着フィルム、コートフィルムが挙げられる。
基材層、熱接合層、および必要に応じて用いる中間層からなるシールフィルムＦは、接着剤を用いたドライラミネート法、熱接着性樹脂を用いた押し出しラミネート法などの公知の方法で製造することができる。
【００３０】
キャップ本体４は樹脂製の射出成型品である。
キャップ本体４に用いられる樹脂は、例えば、ポリオレフィン樹脂、ポリアミド樹脂、ポリエステル樹脂、（メタ）アクリル樹脂、塩化ビニル樹脂、塩化ビニリデン樹脂、ポリエーテルサルホン、エチレン−ビニルアルコール共重合体などが挙げられる。なかでも、加工性に優れ、低コストである点から、ポリオレフィン樹脂が好ましい。ポリオレフィン樹脂としては、例えば、高密度ポリエチレン、中密度ポリエチレン、高圧法低密度ポリエチレン、直鎖状低密度ポリエチレン、エチレン−酢酸ビニル共重合体などのポリエチレン系樹脂、エチレン−α−オレフィン共重合体などのオレフィン系エラストマー、ポリプロピレン、エチレン−プロピレンランダム共重合体、α−オレフィン−プロピレンランダム共重合体などのポリプロピレン系樹脂や、環状ポリオレフィン樹脂などが挙げられる。これらの樹脂は、性能向上のためにブレンドされていてもよく、耐熱性向上などを目的として一部架橋されていてもよい。キャップ本体４の後述の胴部５が高温加熱滅菌するレトルト処理に曝される場合には、耐熱性に優れたポリプロピレンを用いるとよい。キャップ本体４は単一の材料から形成されていてもよく、あるいは種々の樹脂層からなる多層構造を有してもよい。
【００３１】
キャップ本体４は図１〜３に示すように、スパウト本体２の口部２１ａの口径方向外側を筒状に包囲する胴部５と、胴部５に対し口径方向外側に配置された摘まみ部６とを備える。
【００３２】
胴部５は、筒状の胴部本体５１と、胴部本体５１の内周面から口径方向内側に突出する台座部５２とを備える。
【００３３】
台座部５２は胴部本体５１の内周面の全周に亘って形成されており、環状である。また台座部５２はその上面にシールフィルムＦを接合するものである。より詳しく言えば台座部５２は、環状の台座部本体５２ａと、シールフィルムＦを接合するために台座部本体５２ａの上面から突出するフィルム接合部５２ｂとを備える。
台座部本体５２ａの内径はスパウト本体２の口部２１ａの外径よりも僅かに大きく形成してある。
フィルム接合部５２ｂは台座部本体５２ａの上面に口径方向に離れて複数設けてある。そしてフィルム接合部５２ｂは周方向の全周に亘って形成されており、環状である。
【００３４】
また胴部本体５１は図４〜６，８に示すように、摘まみ部６、より詳細には後述する摘まみ付け根部６１に対し周方向の両側を容器本体側の端（図での下端）から破断可能に接合する一対の破断部５３，５３と、一対の破断部５３，５３のうち前記反容器本体側（図での上側）の端部から周方向に向かって延びる一対の第１のスリット部５４，５４とを備える。
【００３５】
一対の第１のスリット部５４，５４は、口径方向に貫通すると共に一対の破断部５３，５３の反容器側の端部から摘まみ部６とは反対側（反摘まみ部側）に向かって周方向に延びている。一対の第１のスリット部５４、５４は、「一対」という用語から明らかなように不連続であり、周方向に離れている。また一対の第１のスリット部５４，５４は図２に示すように台座部５２に対して容器本体側に形成されている。
【００３６】
また胴部本体５１は図４，６に示すように、一対の第１のスリット部５４，５４を境界にして反容器本体側に位置する第１の小胴部５５と、一対の第１のスリット部５４，５４を境界にして容器本体側に位置する第２の小胴部５６と、一対の第１のスリット部５４，５４の間において第１の小胴部５５と第２の小胴部５６とを接合する一対の中間接合部５７，５８とを備える。
【００３７】
第１の小胴部５５は図３，４に示すように口径方向に貫通する貫通穴５５ｈを備える。貫通穴５５ｈは第１の小胴部５５に対して周方向に離れて形成されている。また貫通穴５５ｈは台座部５２（より詳しく言えばシールフィルムＦ）に対して反容器本体側に形成されている。より詳しく言えば胴部５の貫通方向に関して貫通穴５５ｈは台座部５２に対して反容器本体側だけでなく、台座部５２に対して口径方向に対向する部分にも形成されている。なお貫通穴５５ｈは周方向に延びる長穴となっている。
貫通穴５５ｈは液体を通過させる水抜き穴として機能する。ちなみにスパウト付き容器は内容物が充填され、スパウト本体２に対してスパウトキャップ３が取り付けられた状態で殺菌処理されることがある。この殺菌処理で用いる蒸気の水滴や洗浄剤などの液体、或いは気体が、シールフィルムＦの上に溜まることがある。この液体や気体を通過させるために貫通穴５５ｈが形成されている。
【００３８】
第２の小胴部５６は一対の破断部５３，５３の他に、図２，４，６，７に示すように一対の破断部５３，５３を境界として周方向の両側に分割して配置された一対の分割胴部５６ａ，５６ｂを備える。図において５６ａと表記されたものは、一対の分割胴部５６ａ，５６ｂのうち摘まみ部側の分割胴部である。また図において５６ｂと表記されたものは反摘まみ部側の分割胴部である。
【００３９】
破断部５３は、胴部５の貫通方向における容器本体側の端（図での下端）から反容器本体側（上側）に向かって第１のスリット部５４に達するまで延びるものである。より詳しく言えば破断部５３は、胴部５の下端から上側に向かって延びる隙間部５３ａと、摘まみ部側の分割胴部５６ａと反摘まみ部側の分割胴部５６ｂとを切り離し可能に接合すると共に隙間部５３ａの一部を部分的に塞ぐ一対の切り離し部５３ｂとを備える。
【００４０】
一対の中間接合部５７，５８は、摘まみ部側の分割胴部５６ａと第１の小胴部５５、並びに反摘まみ部側の分割胴部５６ｂと第１の小胴部５５をそれぞれ接合すると共に、摘まみ部側の分割胴部５６ａが容器本体側から口径方向に離れて回転変位するときの支点となる一対のヒンジ部５７，５８である。
【００４１】
一対のうち摘まみ部側のヒンジ部５７の肉厚は、周方向の両側部を、その上下に位置する部分（摘まみ部側の分割胴部５６ａおよび第１の小胴部５５）よりも薄い一対の薄肉部５７ａ，５７ａとし、周方向の中間部を薄肉部５７ａより厚い厚肉部５７ｂとしてある。ちなみに厚肉部５７ｂは、摘まみ部側の分割胴部５６ａおよび第１の小胴部５５と同じ程度の厚みにしてある。また摘まみ部側のヒンジ部５７と摘まみ部側の分割胴部５６ａの口径方向の内周面の位置は、第１の小胴部５５よりも口径方向外側に位置している。そして摘まみ部側のヒンジ部５７の口径方向の外周面の位置は、厚肉部５７ｂが第１の小胴部５５に対して口径方向外側に張り出し、一対の薄肉部５７ａ，５７ａが第１の小胴部５５と同じ位置にしてある。また摘まみ部側のヒンジ部５７は、一対の薄肉部５７ａ，５７ａと厚肉部５７ｂの他に、厚肉部５７ｂを摘まみ部側の分割胴部５６ａと台座部５２とに補強的に接合する補強部５７ｃを備える。補強部５７ｃは厚肉部５７ｂの周方向の全長に対しその一部に形成されると共に、厚肉部５７ｂに対して口径方向内側に突出するものである。
【００４２】
また一対のうち反摘まみ部側のヒンジ部５８も、摘まみ部側のヒンジ部５７と同様に、肉厚は、周方向の両側部を、その上下に位置する部分（反摘まみ部側の分割胴部５６ｂおよび第１の小胴部５５）よりも薄い一対の薄肉部５８ａ，５８ａとし、周方向の中間部を薄肉部５８ａよりも厚い厚肉部５８ｂとしてある。ちなみに厚肉部５８ｂは、反摘まみ部側の分割胴部５６ｂおよび第１の小胴部５５と同じ程度の厚みにしてある。また反摘まみ部側のヒンジ部５８の口径方向の内周面の位置は、一対の薄肉部５８ａ，５８ａが第１の小胴部５５と同じ位置し、厚肉部５８ｂが第１の小胴部５５および反摘まみ部側の分割胴部５６ｂよりも口径方向内側に位置している。そして反摘まみ部側のヒンジ部５８の口径方向の外周面の位置は、第１の小胴部５５および反摘まみ部側の分割胴部５６ｂよりも口径方向内側に位置している。また反摘まみ部側のヒンジ部５８のうち中間部（厚肉部５８ｂ）は貫通方向から見て直線状にしてある。なお反摘まみ部側のヒンジ部５８は、摘まみ部側のヒンジ部５７の補強部５７ｃに対応するものはない。
【００４３】
胴部５は図２，３に示すように、胴部本体５１と台座部５２の他に、前述したスパウト本体２のストロー側嵌合部２２に嵌合するキャップ側嵌合部５９を備える。そしてキャップ側嵌合部５９とストロー側嵌合部２２とは嵌合し、スパウト本体２とスパウトキャップ３とを一体化した状態に保持する。なお、スパウト本体２もキャップ本体４は樹脂製であり、例えばキャップ本体４に用いられる樹脂と同様の樹脂が挙げられる。
【００４４】
ストロー側嵌合部２２はストロー２１の外周面から口径方向外側に突出すると共に、周方向の全周に亘って形成される。したがってストロー側嵌合部２２は環状であり、凸部である。
【００４５】
キャップ側嵌合部５９は、口径方向に貫通すると共に口径方向に対向する一対の第２のスリット部５９ａ，５９ａを備える。
一対の第２のスリット部５９ａ，５９ａは周方向に延びる長穴であり、その内部にストロー側嵌合部２２が嵌合する。ちなみに一対の第２のスリット部５９ａ，５９ａと一対の第１のスリット部５４，５４とは周方向に延びると共に、貫通方向に対向している。そして貫通方向に対向する第１のスリット部５４と第２のスリット部５９ａとにおける周方向の摘まみ部側の端部の間には破断部５３が貫通方向に一直線に延びるように形成されている。そして第２のスリット部５９ａは、貫通方向に離れて設けられた二つの切り離し部５３ｂ，５３ｂの間に位置するようになっている。
【００４６】
また胴部５（第２の小胴部５６）のうち一対の第２のスリット部５９ａ，５９ａに対して容器本体側部分は図３に示すように、一対の破断部５３，５３と協働して筒状となる縁部５６ｓと、縁部５６ｓのうち反容器本体側（上側）の端部から口径方向の内側に向かって突出すると共に一対の第２のスリット部５９ａ，５９ａの反容器本体側の面を形成する一対の内鍔部５６ｔ，５６ｔとを備える。
縁部５６ｓと一対の破断部５３，５３とは前述したように協働して筒状となり、その内径をストロー側嵌合部２２の外径よりも大きくしてある。また縁部５６ｓは、一対の破断部５３，５３を境にして反摘まみ部側と摘まみ部側に分離しており、その反摘まみ部側の外周面には図５，８に示すように周方向の一部分において局部的に凹んだ局凹部５６ｕを備えている。この局凹部５６ｕは、第２のスリット部５９ａの周方向における反摘まみ部側の端部に対して容器本体側に形成されている。そして局凹部５６ｕは、周方向に隣接する部分に対して薄く形成されている。スパウトキャップ３がスパウト本体２から外れるとき、局凹部５６ｕが支点となって、第２のスリット部５９ａに対して容器本体側部分に位置する帯状部分が開くように変位し、スパウトキャップ３を外す開放操作が容易になる。
内鍔部５６ｔの内径は、ストロー側嵌合部２２の外径よりも小さい。したがってストロー側嵌合部２２とキャップ側嵌合部５９とが嵌合した状態では、ストロー側嵌合部２２に対し反容器本体側に一対の内鍔部５６ｔ，５６ｔが配置され、スパウトキャップ３がスパウト本体２から不意に抜け外れないようになっている。
【００４７】
摘まみ部６は図１，２に示すように、胴部本体５１のうち貫通方向の容器本体側から口径方向外側に張り出す摘まみ付け根部６１と、摘まみ付け根部６１から貫通方向の反容器本体側に延びる摘まみ本体部６２とを備える。
【００４８】
摘まみ付け根部６１は図５に示すように周方向に延びる帯状となっている。
【００４９】
摘まみ本体部６２は摘まみ付け根部６１に対し胴部５の口径方向外側に変形可能なものである。より詳しく言えば摘まみ本体部６２は樹脂の弾性を利用し、摘まみ付け根部６１を支点にしてその反容器本体側を胴部５から口径方向外側に離れるように変形可能なものである。
【００５０】
また摘まみ本体部６２は図１，６に示すように環状であり、摘まみ付け根部６１から胴部５の周方向に分岐しながら胴部５の貫通方向の反容器本体側へ延びると共に当該反容器本体側において周方向に離れた二股部６３と、二股部６３の反容器本体側の端部を接合すると共に指を掛ける指掛け部６４とを備える。
二股部６３は、胴部５の貫通方向に延びると共に周方向に対向する一対の縦枠部６５，６５と、一対の縦枠部６５，６５における容器本体側の端部の間に架設すると共に摘まみ付け根部６１の口径方向外側から周方向の両側に延びる横枠部６６とを備える。
【００５１】
また摘まみ本体部６２は胴部５に対し口径方向外側に対向するもので、図５に示すように胴部５の貫通方向から見て、指掛け部６４を摘まみ付け根部６１および横枠部６６に対し胴部５の口径方向外側に離れて配置したものである。したがって摘まみ本体部６２は胴部５の口径方向と貫通方向との両方向に貫通するものである。
【００５２】
またスパウトキャップ３は図９，１０に示すように、他の同形状のスパウトキャップ３が絡み合うのを防止する絡み合い防止部７を備える。絡み合い防止部７は、胴部５（第１の小胴部５５）のうち指掛け部６４に対向する部分と、指掛け部６４とで構成される。この胴部５のうち指掛け部６４に対向する部分は、貫通方向から見て口径方向外側に膨らむ円弧状の円弧部５５ａであり、指掛け部６４も同様に貫通方向から見て口径方向外側に膨らむ円弧状としてある。より詳しく言えば円弧部５５ａと指掛け部６４とは、貫通方向から見て胴部５の中心を中心点とする円弧状としてある。したがって指掛け部６４は胴部５の外周面に沿うように周方向に延びている。そして指掛け部６４と円弧部５５ａとの間に形成される空間部も円弧状となり、この空間部には別の同形状のスパウトキャップ３の指掛け部６４が入らないようになる。したがって２つのスパウトキャップ３が上下反転した状態で重なり合う状態になっても、一方のスパウトキャップ３の指掛け部６４が他方のスパウトキャップ３の指掛け部６４と円弧部５５ａとの間に入らず、２つのスパウトキャップ３，３が絡み合わなくなる。ちなみに図１，５に示すように、摘まみ部６に対向しない位置に形成されている円弧部５５ａは、絡み合い防止部を構成するものではない。また、胴部５は、その筒状の断面形状が円状であってもよく、絡み合い防止部を構成する円弧部５５ａ以外の部分は、直線状であっても多角形状などの他の形状であってもよい。
【００５３】
またスパウト１は図１，３，８に示すように、スパウト本体２とスパウトキャップ３の双方に対して、スパウト本体２とスパウトキャップ３とが相対的に回転することを防止する回転防止機構部８を備える。ちなみに本実施形態ではスパウト１は周方向に離して２つの回転防止機構部８，８を備える。
【００５４】
回転防止機構部８は、周方向に相対的に回転不能な状態で胴部５の貫通方向に嵌合する凸部８１と凹部８２とを備える。凸部８１と凹部８２のうち一方はスパウト本体２に形成され、他方はスパウトキャップ３に形成される。より詳しくは以下の通りである。
凸部８１は、スパウト本体２の把持部２３のうち最も反容器本体側のフランジ２３ａの反容器本体側の面（上面）から突出すると共に口径方向に延びる。
凹部８２は凹部８１と嵌合する形状で、スパウトキャップ３の胴部５の容器本体側の端面（下面）において凹むと共に口径方向内側を開口し口径方向外側を閉鎖したものである。
２つの回転防止機構部８，８が口径方向に対向するように配置されているので、スパウトキャップ３は、スパウト本体２に対して嵌合した状態では口径方向に移動不能となる。また前述したように台座部本体５２ａの内径をスパウト本体２の口部２１ａの外径よりも僅かに大きく形成してあるので、スパウト本体２の口部２１ａは台座部５２に対して口径方向に移動不能に嵌合した状態になり、それによってもスパウトキャップ３はスパウト本体２に対して嵌合した状態では口径方向に移動不能になる。
【００５５】
上記した本実施形態のスパウトキャップ３のキャップ本体４を製造するための金型は、例えば次のようにする。型開き方向に胴部５の貫通方向を合わせるようにスパウトキャップ３の向きを設定する。また金型は雄型と雌型とで構成される。そして摘まみ本体部６２を胴部５に対し口径方向外側に対向するように形成してあるので、キャップ本体４を製造する為の金型のうち雌型の方だけにキャビティ（空間部）に対応する凹部が形成されるようにでき、射出成形での量産に適した構造と言える。ちなみにこのときパーティングラインは、胴部５の容器本体側の端面に合わせるようにする。
また本実施形態のスパウトキャップ３は、摘まみ本体部６２を二股部６３と指掛け部６４とを備えるものにし、摘まみ本体部６２を摘まみ付け根部６１に対し胴部５の口径方向外側に配置してあるので、例えば胴部の貫通方向から見て、指掛け部を摘まみ付け根部に対し胴部の口径方向に重なり合うようにしたスパウトキャップと比べれば、指掛け部６４がアンダーカットになり難くなり、射出成形での量産により適したものになる。
【００５６】
ちなみに量産に不適な構造のスパウトキャップ３としては、摘まみ部を胴部に対し貫通方向の容器本体側に向かうにつれて口径方向外側に延びるように傾斜したものが挙げられる。このような構造にすると、キャビティに対応する凹部を雌型だけでなく、雄型の方にも形成するようにしなければならず、金型設計が難しくなる。
【００５７】
また本実施形態のスパウトキャップ３は、胴部５の貫通方向に延びる摘まみ部６を樹脂の弾性を利用して口径方向外側に変形させることによって摘まみ本体部６２に指を通しやすくなり、キャップ本体４をスパウト本体２の口部２１ａから外す開放操作が容易になる。しかも本実施形態のスパウトキャップ３は、胴部５の貫通方向から見て指掛け部６４を摘まみ付け根部６１に対し胴部５の口径方向外側に離れるようにしてあるので、例えば胴部の貫通方向から見て摘まみ本体部を摘まみ付け根部に対し胴部の口径方向に隣接するもの（後述の変形例）と比べれば、胴部５と摘まみ本体部６２との口径方向の間隔が広がり、摘まみ本体部６２に指を通しやすくなり、スパウトキャップ３をスパウト本体２の口部２１ａから外す開放操作が容易になる。
【００５８】
上記した構造のスパウトキャップ３を組み立てるには、まずスパウト本体２に対してスパウトキャップ３を被せて、スパウト本体２の口部２１ａをスパウトキャップ３の胴部５が包囲するようにする。そうするとスパウトキャップ３のシールフィルムＦがスパウト本体２のストロー２１の先端面に対しその周方向の全周に亘って重なり合う状態になる。そして例えば超音波溶着によってその重なり合った面を溶かして、シールフィルムＦをスパウト本体２の口部２１ａの先端面に対しその全周に亘って熱接合する。このようにすることによって本実施形態のスパウトキャップ３は、スパウト本体２の口部２１ａをシールフィルムＦによって確実に閉鎖できる。しかも本実施形態のスパウトキャップ３は、キャップ本体４がスパウト本体２の口部２１ａを包囲するので、当該口部２１ａを衛生的にできる。
【００５９】
また本実施形態のスパウトキャップ３は、胴部５を円弧部５５ａを備えるものにし、指掛け部６４も円弧状にしてあるので、例えばスパウトキャップ３をスパウト本体２に取りけるために複数のスパウトキャップ３をパーツフィーダに投入したときに、スパウトキャップ３同士が指掛け部６４において絡みにくくなり、生産性が向上する。
【００６０】
また本実施形態のスパウトキャップ３は、胴部５が一対の破断部５３，５３と一対の第１のスリット部５４，５４と一対のヒンジ部５７，５８とを備えるものなので、スパウト本体２の口部２１ａから外す開放操作が容易になる。より詳しく言えば、このようなスパウトキャップ３は、スパウトキャップ３をスパウト本体２の口部２１ａから外す開放操作において、次のように作用する。
【００６１】
まずスパウトキャップ３の摘まみ本体部６２に指を通すと、摘まみ本体部６２が図１１（Ａ）の一点鎖線で示すように摘まみ付け根部６１を支点として口径方向外側に変形する。
そして摘まみ本体部６２を反容器本体側に向かって引っ張ると、図１１（Ｂ）の一点鎖線で示すように摘まみ本体部６２が口径方向外側にさらに広がって、摘まみ部側の分割胴部５６ａがヒンジ部５７を支点にして口径方向外側に開くように変位し、一対の破断部５３，５３の切り離し部５３ｂが引き裂かれ破断する。そして破断した破断部５３に沿って胴部５の容器本体側（第２の小胴部５６）が反摘まみ部側の分割胴部５６ａと摘まみ部側の分割胴部５６ｂとに分割する。ちなみにこの段階では、シールフィルムＦはスパウト本体２の口部の先端面に接合した状態である。
さらに摘まみ本体部６２を反容器本体側に向かって引っ張ると、図１１（Ｃ）の一点鎖線で示すようにヒンジ部５８を支点にして摘まみ部側の分割胴部５６ａが第１の小胴部５５と一体となって、反摘まみ部側の分割胴部５６ｂに対して口径方向外側に開くように変位し、この変位に伴って第１のスリット部５４が変形する。このときに図示しないが、シールフィルムＦがスパウト本体２の口部の先端面から剥がされる。
したがって本実施形態のスパウトキャップ３は、一対の破断部５３,５３や一対の第１のスリット部５４，５４や一対のヒンジ部５７，５８があることによって、例えばこれらが無いものと比べて、当該開放操作が容易になる。また本実施形態のスパウトキャップ３は、摘まみ部６を引っ張る１回の操作だけで、スパウト本体２から外すことができる。また第１のスリット部５４や破断部５３の隙間部５３ａは胴部の口径方向に貫通するものなので、軽い力で破断部５３を破断（引き裂く）ことができ、開放操作が容易になる。
【００６２】
また図１２，１３には第一実施形態のスパウトに用いる変形例のスパウトキャップ３Ａが示されている。このスパウトキャップ３Ａは、貫通方向から見て、摘まみ部６Ａを胴部５の円弧部５５ａの接線方向に平行に延びるようにしたものである。より詳しく言えば、摘まみ部６Ａの摘まみ付け根部６１Ａは円弧部５５ａに対し接線方向に平行に延びるものである。そして摘まみ部６Ａの摘まみ本体部６２Ａのうち指掛け部６４Ａと横枠部６６Ａも接線方向に平行に延びるものである。また摘まみ本体部６２Ａは胴部５に対し口径方向外側に対向している。そして貫通方向から見て、指掛け部６４Ａと横枠部６６Ａは口径方向に隣接するものである。この場合、胴部５の円弧部５５ａと指掛け部６４との間には、貫通方向から見て、別の同形状のスパウトキャップ３Ａの指掛け部６４が入る程度の隙間が形成される。したがって２つのスパウトキャップ３Ａが上下反転した状態で重なり合う状態になると、一方のスパウトキャップ３Ａの指掛け部６４が他方のスパウトキャップ３Ａの指掛け部６４と円弧部５５ａとの間に入り込むことがある。この場合、胴部５の円弧部５５ａと指掛け部６４とは絡み合い防止部を構成しない。
【００６３】
次いで、また本発明の第二実施形態のスパウトについて以下で説明する。本実施形態のスパウトのスパウトキャップ（以下、第二実施形態のスパウトキャップと称する。）は第一実施形態のスパウトキャップと相違し、それに嵌合するスパウト本体は第一実施形態のスパウト本体と一致する。
【００６４】
第二実施形態のスパウトキャップ３Ｓは図１４〜１６に示すように、胴部５が一対の第１のスリット部５４，５４、一対の破断部５３，５３、一対の第２のスリット部５９ａ，５９ａを備え、周方向の同じ側に位置する第１のスリット部５４と第２のスリット部５９ａとの互いの周方向の中間部に対して破断部５３を繋げる状態で形成してある。しかも破断部５３は、貫通方向の全長のうち中間部を周方向に屈曲する屈曲線状に形成してある。より詳しく言えば、破断部５３のうち隙間部５３ａは、周方向の同じ側に位置する第１のスリット部５４と第２のスリット部５９ａとの間において貫通方向に延びる第１の直線部５３ｃと、第２のスリット部５９ａの一部であり且つ摘まみ部側から離れるように周方向に延びる第２の直線部５３ｄと、第２の直線部５３ｄのうち第１の直線部５３ｃに対して離れた端部から貫通方向に延びる第３の直線部５３ｅとを備えるものである。また破断部５３のうち切り離し部５３ｂは第１の直線部５３ｃにのみ形成されており、第１の直線部５３ｃの一部を部分的に塞いで一対の分割胴部５６ａ，５６ｂを切り離し可能に接合している。
【００６５】
また第二実施形態のスパウトキャップ３Ｓは、回転防止機構部８としての凹部８２を一対の破断部５３，５３に対して周方向における反摘まみ部側と摘まみ部側とに形成してある。より詳しく言えば、第二実施形態のスパウトキャップ３Ｓは凹部８２を、第一実施形態のスパウトキャップ３における回転防止機構部８としての凹部８２に対し、胴部５の周方向に関して異なる位置に形成してある。
【００６６】
本発明は上記実施形態に限定されるものではなく、その趣旨を逸脱しない範囲において適宜変更可能である。
たとえばヒンジ部５７，５８は一対の薄肉部と厚肉部とを備えるものとしたが、本発明ではこれに限らず、例えば薄肉部のみを備えるものであっても良い。
また一対の中間接合部５７，５８は何れもヒンジ部であったが、本発明ではこれに限らず、摘まみ部側の中間接合部５７はヒンジ部として機能しないものであっても良い。この場合であっても、スパウトキャップ３をスパウト本体２の口部２１ａから外す開放操作は、上記実施形態と同様に行える。またこの場合、切り離し部５３ｂの切断とシールフィルムＦとの剥離が同時になり、上記実施形態の場合よりも開放には大きな力を要することになる。したがって摘まみ部側の中間接合部５７がヒンジ部として機能しない場合よりも、上記実施形態の方が好ましい。
【符号の説明】
【００６７】
１  スパウト
２  スパウト本体
２１  ストロー
２１ａ  口部
２１ｂ  容器取付部
２２  ストロー側嵌合部
２３  把持部
２３ａ  フランジ
３，３Ａ，３Ｓ  スパウトキャップ
４  キャップ本体
５  胴部
５１  胴部本体
５２  台座部
５２ａ  台座部本体
５２ｂ  フィルム接合部
５３  破断部
５３ａ  隙間部
５３ｂ  切り離し部
５３ｃ  第１の直線部
５３ｄ  第２の直線部
５３ｅ  第３の直線部
５４  第１のスリット部
５５  第１の小胴部
５５ａ  円弧部
５５ｈ  貫通穴
５６  第２の小胴部
５６ａ，５６ｂ  分割胴部
５６ｓ  縁部
５６ｔ  内鍔部
５６ｕ  局凹部
５７，５８  中間接合部（ヒンジ部）
５７ａ，５８ａ  薄肉部
５７ｂ，５８ｂ  厚肉部
５７ｃ  補強部
５９  キャップ側嵌合部
５９ａ  第２のスリット部
６，６Ａ  摘まみ部
６１，６１Ａ  摘まみ付け根部
６２，６２Ａ  摘まみ本体部
６３  二股部
６４，６４Ａ  指掛け部
６５  縦枠部
６６，６６Ａ  横枠部
７  絡み合い防止部
８  回転防止機構部
８１  凸部
８２  凹部
Ｆ  シールフィルム
【図１】
2020121772.tif 000003
【図２】
2020121772.tif 000004
【図３】
2020121772.tif 000005
【図４】
2020121772.tif 000006
【図５】
2020121772.tif 000007
【図６】
2020121772.tif 000008
【図７】
2020121772.tif 000009
【図８】
2020121772.tif 000010
【図９】
2020121772.tif 000011
【図１０】
2020121772.tif 000012
【図１１】
2020121772.tif 000013
【図１２】
2020121772.tif 000014
【図１３】
2020121772.tif 000015
【図１４】
2020121772.tif 000016
【図１５】
2020121772.tif 000017
【図１６】
2020121772.tif 000018